(57)【特許請求の範囲】
【請求項１】
被記録媒体を支持する媒体支持部と、
該媒体支持部に形成され、一端側が媒体支持部における被記録媒体を支持する側に形成された複数の穴部と、
該穴部の他端側に設けられ、該穴部を介して媒体支持部上の空気を吸引する吸引手段と、
前記穴部における前記他端側において複数設けられ、該穴部に対して接離する方向へ移動可能な閉塞部材と、
該閉塞部材を前記穴部に向かって付勢する付勢手段と、
前記穴部の他端側に設けられ、前記閉塞部材が移動する方向と交差する方向へ摺動可能である摺動部材と、を備え、
該摺動部材は、摺動する際、前記閉塞部材と接触可能な第１の部分を有しており、
前記閉塞部材は、前記摺動部材が摺動する際、前記第１の部分と接触可能な第２の部分を有しており、
前記第１の部分および前記第２の部分の少なくとも一方は、前記摺動部材が摺動する方向および前記閉塞部材が移動する方向の両方に対して傾いて形成された箇所を有しており、
前記摺動部材を摺動させることにより、少なくとも一の前記穴部について、
前記第１の部分を前記第２の部分から離間させ、前記閉塞部材が該穴部を閉塞した状態と、
前記第１の部分を前記第２の部分と接触させ、前記閉塞部材を該穴部から離間する方向へ移動させ、前記閉塞部材が該穴部を開放した状態と、を切り換え可能であり、
前記摺動部材の摺動方向における位置を変えることによって、前記開放した状態にする前記穴部を選択する構成である記録装置。
【請求項２】
請求項１に記載の記録装置において、前記第１の部分が前記第２の部分から離間した状態から接触した状態となる方向へ前記摺動部材が摺動するとした場合の摺動方向先後を基準として、
前記摺動部材における前記第１の部分の先端側が後端側より前記穴部に接近しているように摺動方向に対して傾いて形成されている記録装置。
【請求項３】
請求項１または２に記載の記録装置において、前記閉塞部材における少なくとも前記穴部側は、球面状に形成されており、
前記穴部は、正円形の穴であり、
前記閉塞部材における前記球面状の部分の径は、前記穴部の径より大である記録装置。
【請求項４】
請求項１から３のいずれか１項に記載の記録装置において、前記摺動部材は、摺動方向に延設された溝部を有しており、
該溝部は、摺動方向に対する幅が、前記閉塞部材における前記第２の部分の幅より狭い第１領域と、
前記第２の部分の幅より広い第２領域と、を有することを特徴とする記録装置。
【請求項５】
請求項１から４のいずれか１項に記載の記録装置において、前記閉塞部材を前記移動方向へ案内する案内部をさらに備えており、
前記閉塞部材は、球体であり、
前記付勢手段は、圧縮コイルばねであり、
前記案内部における前記閉塞部材と接触可能な面は、円筒の内側面状に形成され、
前記案内部の内側に、前記閉塞部材としての球体および前記付勢手段としての圧縮コイルばねが設けられていることを特徴とする記録装置。
【発明の詳細な説明】
【技術分野】
【０００１】
本発明は、被記録媒体を支持する媒体支持部と、該媒体支持部に形成され、一端側が媒体支持部における被記録媒体を支持する側に形成された複数の穴部と、該穴部の他端側に設けられ、該穴部を介して媒体支持部上の空気を吸引する吸引手段と、を備えた記録装置に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１に示す如く、記録装置は、記録ヘッドと対向する位置に被記録媒体の一例である用紙を支持する媒体支持部（プラテン）を備えていた。そして、該媒体支持部には、複数の吸引穴が形成されていた。さらに、吸引手段である吸引ファンの吸引力によって、前記吸引穴を介して前記媒体支持部上の空気を吸引し、前記媒体支持部上の用紙を、前記媒体支持部に吸着させることが可能に構成されていた。また、前記複数の吸引穴の開閉状態を切り換えるシャッターが設けられていた。そして、該シャッターを摺動させることにより、一部の吸引穴を閉じた状態とし、その他の吸引穴を開いた状態とすることができるように構成されていた。従って、用紙の幅方向のサイズに合わせて、開いた状態にする前記吸引穴を選択することができた。
【先行技術文献】
【特許文献】
【０００３】
【特許文献１】特開２００２−２０５８５５号公報
【発明の概要】
【発明が解決しようとする課題】
【０００４】
しかしながら、摺動する前記シャッターが前記吸引穴を閉じる構成であり、前記シャッターに吸引力が作用する。そのため、前記吸引穴との間に隙間が生じやすく、閉じるべき前記吸引穴の密閉性が低かった。ここで、密閉性を高めるために、前記シャッターに対して吸引穴側への力を加えると、摺動する際の摩擦抵抗が大きくなる。従って、前記シャッターを摺動させることが困難となる虞が生じる。特に手動で摺動させる構成である場合に該虞が生じる。また、モーターの動力によって摺動させる構成である場合は、モーターの出力を大きくするために大きなモーターを用いる必要がある。
【０００５】
本発明は、このような状況に鑑み成されたものであり、その課題は、媒体支持部に形成された吸引するための穴部の開閉切り換えと、該穴部の閉じた状態での密閉性を考慮した記録装置を提供することである。
【課題を解決するための手段】
【０００６】
上記課題を達成するため、本発明の第１の態様の記録装置は、被記録媒体を支持する媒体支持部と、該媒体支持部に形成され、一端側が媒体支持部における被記録媒体を支持する側に形成された複数の穴部と、該穴部の他端側に設けられ、該穴部を介して媒体支持部上の空気を吸引する吸引手段と、前記穴部における前記他端側において複数設けられ、該穴部に対して接離する方向へ移動可能な閉塞部材と、該閉塞部材を前記穴部に向かって付勢する付勢手段と、前記穴部の他端側に設けられ、前記閉塞部材が移動する方向と交差する方向へ摺動可能である摺動部材と、を備え、該摺動部材は、摺動する際、前記閉塞部材と接触可能な第１の部分を有しており、前記閉塞部材は、前記摺動部材が摺動する際、前記第１の部分と接触可能な第２の部分を有しており、前記第１の部分および前記第２の部分の少なくとも一方は、前記摺動部材が摺動する方向および前記閉塞部材が移動する方向の両方に対して傾いて形成された箇所を有しており、前記摺動部材を摺動させることにより、少なくとも一の前記穴部について、前記第１の部分を前記第２の部分から離間させ、前記閉塞部材が該穴部を閉塞した状態と、前記第１の部分を前記第２の部分と接触させ、前記閉塞部材を該穴部から離間する方向へ移動させ、前記閉塞部材が該穴部を開放した状態と、を切り換え可能であり、前記摺動部材の摺動方向における位置を変えることによって、前記開放した状態にする前記穴部を選択する構成であることを特徴とする。
【０００７】
本発明の第１の態様によれば、前記閉塞部材と、前記摺動部材とが別体である。従って、前記閉塞部材が前記穴部を閉塞した状態において、前記摺動部材に対して前記吸引手段による吸引力が作用しても、前記閉塞部材の位置には、影響を与えない。これにより、前記閉塞した状態における密閉性を高めることができる。その結果、前記開放した状態の前記穴部を介する吸引力が低下する虞がない。即ち、前記開放した状態に選択された前記穴部と対向する範囲において、効率よく被記録媒体を前記媒体支持部に吸着させることができる。  
また、前記閉塞部材と、前記摺動部材とを別体にしたことにより、従来のシャッターの摺動と比較して、前記摺動部材を容易に摺動させることができる。従って、容易に前記穴部の選択を切り換えることができる。前記摺動部材の摺動が手動による構成である場合に特に有効である。
【０００８】
本発明の第２の態様は、第１の態様において、前記第１の部分が前記第２の部分から離間した状態から接触した状態となる方向へ前記摺動部材が摺動するとした場合の摺動方向先後を基準として、前記摺動部材における前記第１の部分の先端側が後端側より前記穴部に接近しているように摺動方向に対して傾いて形成されていることを特徴とする。  
本発明の第２の態様によれば、第１の態様と同様の作用効果に加え、滑らかに前記閉塞部材を前記穴部から離間させる方向へ移動させることができる。即ち、滑らかに前記閉塞した状態から前記開放した状態へ切り換えることができる。
【０００９】
本発明の第３の態様は、第１または第２の態様において、前記閉塞部材における少なくとも前記穴部側は、球面状に形成されており、前記穴部は、正円形の穴であり、前記閉塞部材における前記球面状の部分の径は、前記穴部の径より大であることを特徴とする。  
本発明の第３の態様によれば、第１または第２の態様と同様の作用効果に加え、前記閉塞した状態における密閉性をより高めることができる。即ち、前記閉塞部材の移動方向を軸とした該閉塞部材の向きが変化した場合や、前記移動方向に対する前記閉塞部材の姿勢が変化した場合であっても、確実に前記穴部を閉塞した状態にすることができる。  
また、前記摺動部材の前記第１の部分が、前記閉塞部材の前記第２の部分と、前記穴部との間に入り込みやすく構成することができる。
【００１０】
本発明の第４の態様は、第１から第３のいずれか一の態様において、前記摺動部材は、摺動方向に延設された溝部を有しており、該溝部は、摺動方向に対する幅が、前記閉塞部材における前記第２の部分の幅より狭い第１領域と、前記第２の部分の幅より広い第２領域と、を有することを特徴とする。  
本発明の第４の態様によれば、第１から第３のいずれか一の態様と同様の作用効果に加え、前記開放した状態における前記閉塞部材の位置および姿勢を安定させることができる。
【００１１】
具体的には、前記閉塞部材の前記第２の部分が前記第１領域で前記溝部と接触している場合、前記開放した状態とし、前記閉塞部材の前記第２の部分が第２領域内に位置する場合、前記閉塞した状態とすることができる。そして、前記開放した状態では、前記溝部が前記閉塞部材と接触し、該閉塞部材の位置および姿勢を安定させることができる。特に、前記摺動部材の摺動方向および前記閉塞部材の移動方向と交差する方向における位置を安定させることができる。
【００１２】
本発明の第５の態様は、第１から第４のいずれか一の態様において、前記閉塞部材を前記移動方向へ案内する案内部をさらに備えており、前記閉塞部材は、球体であり、前記付勢手段は、圧縮コイルばねであり、前記案内部における前記閉塞部材と接触可能な面は、円筒の内側面状に形成され、前記案内部の内側に、前記閉塞部材としての球体および前記付勢手段としての圧縮コイルばねが設けられていることを特徴とする。
【００１３】
本発明の第５の態様によれば、第１から第４のいずれか一の態様と同様の作用効果に加え、前記閉塞部材の移動方向と直交する方向において、前記穴部と、前記閉塞部材との相対的な位置関係を安定させることができる。また、前記閉塞部材は球体であるため、閉塞部材の向きおよび姿勢が変化した場合であっても、前記閉塞した状態に容易にすることができる。
【図面の簡単な説明】
【００１４】
【図１】（Ａ）（Ｂ）は本発明に係るプリンターにおける媒体支持部の概略を示す図。
【図２】（Ａ）（Ｂ）は本発明に係る媒体支持部の穴部の第１選択状態を示す概略図。
【図３】（Ａ）（Ｂ）は本発明に係る媒体支持部の穴部の第２選択状態を示す概略図。
【図４】（Ａ）（Ｂ）は本発明に係る媒体支持部の穴部の第３選択状態を示す概略図。
【図５】（Ａ）（Ｂ）は他の実施形態の穴部の開閉状態を示す概略図。
【発明を実施するための形態】
【００１５】
以下、本発明の実施の形態を図面に基づいて説明する。  
図１（Ａ）（Ｂ）に示すのは、本発明に係るプリンターにおける媒体支持部の概略を示す図である。このうち、図１（Ａ）は側断面図である。一方、図１（Ｂ）は平面図である。  
図１（Ａ）に示す如く、本発明のプリンター１は、図示しない送り手段と、記録部２と、を備えている。このうち、送り手段は、被記録媒体の一例である用紙Ｐを送り方向下流側へ送ることができるように構成されている。例えば、ローラー対や、ベルト機構によって送ることができる。
【００１６】
また、記録部２は、用紙Ｐに対してインクを吐出して記録を実行することができるように構成されている。具体的には、記録ヘッド３と、媒体支持部４とを有している。本実施例では、記録ヘッド３は、媒体支持部４と対向する範囲において、用紙Ｐの送り方向Ｙに移動可能に設けられている。  
尚、記録ヘッド３が用紙Ｐの幅方向Ｘに移動可能な構成でもよいのは勿論である。
【００１７】
媒体支持部４は、用紙Ｐを支持し、用紙Ｐと記録ヘッド３との間の距離を所定の距離とすることができるように構成されている。また、媒体支持部４は、複数の穴部５、５…と、負圧室７と、吸引手段６とを有している。このうち、複数の穴部５、５…の一端側５ａは、媒体支持部４における用紙Ｐを支持する面に形成されている。一方、穴部５の他端側５ｂは、前記支持する面と反対側である負圧室側に形成されている。
【００１８】
また、負圧室７は、吸引手段６の一例である吸引ファンによって負圧状態となるように構成されている。また、負圧室７における穴部側には、用紙Ｐの幅方向Ｘに摺動可能な摺動部材８が設けられている。そして、詳しくは後述するように、摺動部材８を移動させることによって、複数の穴部５、５…を開放した状態と、閉塞した状態とを切り換えることができるように構成されている。
【００１９】
図１（Ｂ）に示す如く、穴部５は、送り方向Ｙに複数配設されている。さらに、用紙Ｐの幅方向Ｘに複数の列を成して形成されている。本実施例では、幅方向Ｘの一の側端側から他の側端側まで、第１列Ｌ１、第２列Ｌ２、第３列Ｌ３…第７列Ｌ７が配列されている。  
尚、Ｚ軸方向は、記録ヘッドと媒体支持部とが対向する方向である。  
続いて、摺動部材８を移動させ、複数の穴部５、５…を開放した状態と、閉塞した状態とを切り換える動作について説明する。
［第１選択状態］
【００２０】
図２（Ａ）（Ｂ）に示すのは、本発明に係る媒体支持部の穴部の第１選択状態を示す概略図である。このうち、図２（Ａ）は送り方向上流側から下流側へ向かってみたときの媒体支持部の要部を拡大した断面図である。尚、図２（Ａ）において理解を容易にするために吸引手段の図示は省略する。  
一方、図２（Ｂ）は摺動部材と閉塞部材との位置関係を示す平面図である。尚、図２（Ｂ）において理解を容易にするために負圧室の上面側である媒体支持部における用紙を支持する面の図示は省略する。  
ここで、「第１選択状態」とは、複数の穴部の全ての列において、穴部が開放された状態となっている状態をいう。即ち、全ての列について開放した状態が選択された状態をいう。
【００２１】
図２（Ａ）（Ｂ）に示す如く、穴部５の他端側５ｂと対向する位置には、球体形状の閉塞部材１３が設けられている。そして、閉塞部材１３は、穴部５に対して接離する方向へ移動可能に設けられている。ここで、球体形状の閉塞部材１３の径Ｒ１は、正円形状の穴部５の径Ｒ２より大となるように構成されている。そして、閉塞部材１３が穴部５と接触することにより、穴部５を閉塞した状態となる。一方、閉塞部材１３が穴部５から離間することにより、穴部５を開放した状態となるように構成されている。
【００２２】
また、閉塞部材１３は、負圧室７の底面側（７ａ）から上面側へ向かって付勢手段１４の一例である圧縮コイルばね１５によって付勢されている。ここで、閉塞部材１３は球体形状であり、球体の径Ｒ１の長さは、圧縮コイルばね１５の径の長さより大となるように構成されている。従って、球面は、圧縮コイルばね１５の先端によって安定して支えられる。また、閉塞部材１３は球体であるため、閉塞部材１３の移動方向を軸とした回転方向に変位した場合であっても何ら問題はない。またさらに、移動方向に対する閉塞部材１３の姿勢が変化した場合であっても何ら問題はない。
【００２３】
またさらに、摺動部材８は、図示しないガイドによって案内されながら幅方向Ｘに摺動可能に構成されている。  
ここで、摺動部材８には、幅方向Ｘに延設された溝部９が形成されている。そして、溝部９が閉塞部材１３と接触し、閉塞部材１３を穴部５に対して接離する方向へ移動させることができるように構成されている。即ち、摺動部材８は、カムとして、閉塞部材１３に対して作用し、閉塞部材１３は、カムフォロアとして、摺動部材８から作用を受ける所謂、カム機構として構成されている。ここで、摺動部材８における閉塞部材１３と接触する箇所を、第１の部分８ａとする。一方、閉塞部材１３における摺動部材８と接触する箇所を、第２の部分１３ａとする。
【００２４】
具体的には、溝部９は、第１領域１０と、第２領域１１とを有している。このうち、第１領域１０における摺動方向に対する幅は、閉塞部材１３の球体の径Ｒ１の長さより狭く（短く）構成されている。一方、第２領域１１における摺動方向に対する幅は、閉塞部材１３の球体の径Ｒ１の長さより広く（長く）構成されている。  
尚、第２領域１１における前記幅は、第１領域１０における前記幅より広く設けられており、閉塞部材１３における第２の部分１３ａの幅より広く設けられていればよい。即ち、溝部９の第２領域１１では、摺動部材８と閉塞部材１３とが接触しない構成であればよい。
【００２５】
また、第１領域１０と第２領域１１との境界近傍において、穴部５を閉塞した状態から開放した状態に切り換える際の摺動部材８の摺動方向先端側は、先細り形状に設けられている。言い換えると、第１領域１０における摺動方向先端側の第１の部分８ａには、先端側が後端側より穴部５に接近しているように摺動方向に対して傾いた第１傾斜部１２が形成されている。
【００２６】
そして、第１選択状態では、全ての列である第１列Ｌ１〜第７列Ｌ７において、溝部９の第１領域１０が、穴部５と、閉塞部材１３との間に入り込むように構成されている。言い換えると、溝部９の第１領域１０の第１の部分８ａが、圧縮コイルばね１５のばね力に抗して、閉塞部材１３を穴部５から離間させるように構成されている。従って、全ての列である第１列Ｌ１〜第７列Ｌ７において、穴部５を開放した状態となる。  
尚、本実施例では、負圧室７の上面と摺動部材８との間に隙間を設けたが、これに限られない。開放した状態の穴部５から吸引された空気は、摺動部材８の溝部９を介して吸引手段６によって吸引される。そのため、負圧室７の上面と摺動部材８との間に隙間を設けなくてもよい。
［第２選択状態］
【００２７】
図３（Ａ）（Ｂ）に示すのは、本発明に係る媒体支持部の穴部の第２選択状態を示す概略図である。このうち、図３（Ａ）は送り方向上流側から下流側へ向かってみたときの媒体支持部の要部を拡大した断面図である。尚、図３（Ａ）において理解を容易にするために吸引手段の図示は省略する。  
一方、図３（Ｂ）は摺動部材と閉塞部材との位置関係を示す平面図である。尚、図３（Ｂ）において理解を容易にするために負圧室の上面側である媒体支持部における用紙を支持する面の図示は省略する。  
ここで、「第２選択状態」とは、複数の穴部の列のうちの第１列以外の列において、穴部が開放された状態となっている状態をいう。即ち、第１列を閉塞した状態とし、その他の列（第２列〜第７列）について開放した状態が選択された状態をいう。
【００２８】
図３（Ａ）（Ｂ）に示す如く、図２（Ａ）（Ｂ）の状態から摺動部材８をＸ軸の矢印方向へ摺動させると、第１列Ｌ１の閉塞部材１３が第１列Ｌ１の穴部５を閉塞した状態に切り換えることができる。詳しく説明すると、摺動部材８をＸ軸の矢印方向へ摺動させる。これにより、第１列Ｌ１の穴部５に対応する閉塞部材１３は、相対的に第１領域１０から第２領域１１の溝部内に入ることになる。この際、他の列の穴部５に対応する閉塞部材１３は、第１領域１０の溝部９と接触した状態である。
【００２９】
従って、第１列Ｌ１の穴部５に対応する閉塞部材１３のみが、圧縮コイルばね１５のばね力によって第１列Ｌ１の穴部５に接近する。そして、第１列Ｌ１の穴部５に対応する閉塞部材１３のみが、第１列Ｌ１の穴部５と接触して、第１列Ｌ１の穴部５を閉塞した状態にする。即ち、第１列Ｌ１を閉塞した状態とし、その他の列（第２列Ｌ２〜第７列Ｌ７）について開放した状態が選択された第２選択状態となる。
［第３選択状態］
【００３０】
図４（Ａ）（Ｂ）に示すのは、本発明に係る媒体支持部の穴部の第３選択状態を示す概略図である。このうち、図４（Ａ）は送り方向上流側から下流側へ向かってみたときの媒体支持部の要部を拡大した断面図である。尚、図４（Ａ）において理解を容易にするために吸引手段の図示は省略する。  
一方、図４（Ｂ）は摺動部材と閉塞部材との位置関係を示す平面図である。尚、図４（Ｂ）において理解を容易にするために負圧室の上面側である媒体支持部における用紙を支持する面の図示は省略する。  
ここで、「第３選択状態」とは、複数の穴部の列のうちの第１列および第２列以外の列において、穴部が開放された状態となっている状態をいう。即ち、第１列および第２列を閉塞した状態とし、その他の列（第３列〜第７列）について開放した状態が選択された状態をいう。
【００３１】
図４（Ａ）（Ｂ）に示す如く、図３（Ａ）（Ｂ）の状態から摺動部材８をＸ軸の矢印方向へさらに摺動させると、第２列Ｌ２の閉塞部材１３が第２列Ｌ２の穴部５を閉塞した状態に切り換えることができる。詳しく説明すると、摺動部材８をＸ軸の矢印方向へさらに摺動させる。これにより、第２列Ｌ２の穴部５に対応する閉塞部材１３は、相対的に第１領域１０から第２領域１１の溝部内に入ることになる。この際、第３列Ｌ３〜第７列Ｌ７の穴部５に対応する閉塞部材１３は、第１領域１０の溝部９と接触した状態である。また、第１列Ｌ１の穴部５に対応する閉塞部材１３は、相対的に第２領域１１の溝部内に入ったままである。
【００３２】
従って、第２列Ｌ２の穴部５に対応する閉塞部材１３が、圧縮コイルばね１５のばね力によって第２列Ｌ２の穴部５に接近する。そして、第２列Ｌ２の穴部５に対応する閉塞部材１３が、第２列Ｌ２の穴部５と接触して、第２列Ｌ２の穴部５を閉塞した状態にする。即ち、第１列Ｌ１および第２列Ｌ２を閉塞した状態とし、その他の列（第３列Ｌ３〜第７列Ｌ７）について開放した状態が選択された第３選択状態となる。
［第４選択状態（図示せず）］
【００３３】
ここで、「第４選択状態」とは、複数の穴部の列のうちの第１列〜第３列以外の列において、穴部が開放された状態となっている状態をいう。即ち、第１列〜第３列を閉塞した状態とし、その他の列（第４列〜第７列）について開放した状態が選択された状態をいう。  
図４（Ａ）（Ｂ）の状態から摺動部材８をＸ軸の矢印方向へさらに摺動させると、第３列Ｌ３の閉塞部材１３が第３列Ｌ３の穴部５を閉塞した状態に切り換えることができる。この際の第３列Ｌ３の穴部５に対応する閉塞部材１３の動作は、第２選択状態から第３選択状態に切り換えられる際の第２列Ｌ２の穴部５に対応する閉塞部材１３の動作と、同様である。従って、その説明は省略する。
【００３４】
尚、本実施例では、例として第１列Ｌ１〜第３列Ｌ３の穴部５について、一の摺動部材８によって、開放した状態と閉塞した状態とを切り換えることができるように構成したが、これに限られない。第１列Ｌ１〜第６列の穴部５について、切り換えることができるように構成してもよいのは勿論である。尚、用紙Ｐが第７列側を基準に位置が決められる構成である場合、第７列Ｌ７については、切り換える必要がない。全ての列の穴部５を閉塞した状態に切り換える代わりに、吸引手段６を停止させればよいからである。  
また、本実施例では、第１列Ｌ１〜第７列Ｌ７の構成としたが、これに限られるものではない。列の数を増減することができるのは勿論である。
【００３５】
以上、説明したように、穴部５を閉塞した状態の閉塞部材１３と、摺動部材８とを別体に構成したことにより、従来技術と比較して、閉塞した状態の密閉性を高めることができる。仮に摺動部材８が吸引力の影響を受けた場合であっても、閉塞した状態の閉塞部材１３は、摺動部材８と離間しているからである。その結果、開放した状態の穴部５における吸引力が低下する虞がない。  
また、開放した状態から閉塞した状態へ切り換える際、前述した従来技術と比較して、滑らかに摺動させることができる。前述した従来技術のような、密閉性を高めるためにシャッターを穴部側へ付勢する力が作用しないからである。
［閉塞した状態から開放した状態への切り換え］
【００３６】
「第４選択状態」から「第３選択状態」へ切り換える場合、摺動部材８をＸ軸の矢印と逆方向へ摺動させる。この際、第３列Ｌ３の穴部５に対応する閉塞部材１３は、相対的に第２領域１１の溝部内から出て第１領域１０の溝部９と接触した状態となる。より詳しく説明すると、カムとしての第１傾斜部１２が、第３列Ｌ３の穴部５に対応する閉塞部材１３のカムフォロアとしての第２の部分１３ａと接触する。
【００３７】
そして、第１傾斜部１２が、第３列Ｌ３の穴部５に対応する閉塞部材１３を、第３列Ｌ３の穴部５から離間する方向へ圧縮コイルばね１５のばね力に抗して移動させる。  
その結果、第３列Ｌ３の閉塞部材１３が第３列Ｌ３の穴部５を開放した状態となる。この際、第１列Ｌ１および第２列Ｌ２の穴部５に対応する閉塞部材１３は、相対的に第２領域１１の溝部内に位置したままである。従って、第１列Ｌ１および第２列Ｌ２の穴部５については、閉塞した状態のままである。
【００３８】
同様に、「第３選択状態」から「第２選択状態」へ切り換える場合、図４（Ａ）（Ｂ）に示す状態から、摺動部材８をＸ軸の矢印と逆方向へ摺動させる。この際、第２列Ｌ２の穴部５に対応する閉塞部材１３は、相対的に第２領域１１の溝部内から出て第１領域１０の溝部９と接触した状態となる。より詳しく説明すると、カムとしての第１傾斜部１２が、第２列Ｌ２の穴部５に対応する閉塞部材１３のカムフォロアとしての第２の部分１３ａと接触する。そして、第１傾斜部１２が、第２列Ｌ２の穴部５に対応する閉塞部材１３を、第２列Ｌ２の穴部５から離間する方向へ圧縮コイルばね１５のばね力に抗して移動させる。
【００３９】
その結果、図３（Ａ）（Ｂ）に示す如く、第２列Ｌ２の閉塞部材１３が第２列Ｌ２の穴部５を開放した状態となる。この際、第１列Ｌ１の穴部５に対応する閉塞部材１３は、相対的に第２領域１１の溝部内に位置したままである。従って、第１列Ｌ１の穴部５については、閉塞した状態のままである。また、第３列Ｌ３の穴部５に対応する閉塞部材１３は、第１領域１０の溝部９と接触したままである。従って、第３列Ｌ３の穴部５については、開放した状態のままである。
【００４０】
また同様に、「第２選択状態」から「第１選択状態」へ切り換える場合、図３（Ａ）（Ｂ）に示す状態から、摺動部材８をＸ軸の矢印と逆方向へ摺動させる。この際の第１列Ｌ１の穴部５に対応する閉塞部材１３の動作は、第３選択状態から第２選択状態に切り換えられる際の第２列Ｌ２の穴部５に対応する閉塞部材１３の動作と、同様である。従って、その説明は省略する。  
その結果、図２（Ａ）（Ｂ）に示す如く、第１列Ｌ１の閉塞部材１３が第１列Ｌ１の穴部５を開放した状態となる。この際、第２列Ｌ２および第３列Ｌ３の穴部５に対応する閉塞部材１３は、第１領域１０の溝部９と接触したままである。従って、第２列Ｌ２および第３列Ｌ３の穴部５については、開放した状態のままである。
【００４１】
以上、説明したように、閉塞した状態から開放した状態へ切り換える際、第１傾斜部１２によって、滑らかに閉塞部材１３を、穴部５から離間させることができる。また、閉塞部材１３における第２の部分１３ａは、摺動方向に対して傾いている。従って、滑らかに閉塞部材１３を、穴部５から離間させることができる。  
尚、上記実施例では、閉塞部材１３を球体形状に形成したが、これに限られない。少なくとも穴部側が球面状に形成されていることが望ましい。正円の穴部５との密閉性を高めることができるからである。また、穴部側が球面状でなくてもよい。穴部を閉塞することが可能だからである。
【００４２】
また、上記実施例では、摺動部材８に溝部９を形成したが、必ずしも溝部９を形成する必要はない。カムとしての摺動部材８と、カムフォロアとしての閉塞部材１３との関係が成立するカム機構であればよい。本実施例で溝部９を設けた理由は、開放した状態における閉塞部材１３の位置を安定させることができるからである。  
またさらに、上記実施例では、摺動部材８は、Ｘ軸方向へ摺動する構成としたが、これに限られない。閉塞部材１３の移動方向であるＺ軸方向と交差する方向であればよい。該交差する関係であれば、カムとカムフォロアとの関係が成立するからである。
【００４３】
また、用紙の幅のみに応じて各列の穴部の開閉状態を切り換えるように構成したが、加えて用紙の長さに応じて開閉状態を切り換えるように構成してもよい。送り方向下流側の溝部と上流側の溝部とを異なる形状にすることにより、用紙の長さにも対応することができる。例えば、媒体支持部まで送られた用紙を媒体支持部上に停止させた状態で記録を実行する構成である場合で、用紙サイズがＡ４であるとき、Ａ４サイズの用紙に対応する範囲の穴部を開放した状態にすることができる。また、用紙サイズがＡ３であるとき、Ａ３サイズの用紙に対応する範囲の穴部を開放した状態にすることができる。
【００４４】
本実施形態の記録装置としてのプリンター１は、被記録媒体の一例である用紙Ｐを支持する媒体支持部４と、媒体支持部４に形成され、一端側５ａが媒体支持部４における用紙Ｐを支持する側に形成された複数の穴部５、５…と、穴部５の他端側５ｂに設けられ、穴部５を介して媒体支持部上の空気を吸引する吸引手段６と、穴部５における他端側５ｂにおいて複数設けられ、穴部５に対して接離する方向であるＺ軸方向へ移動可能な閉塞部材１３と、閉塞部材１３を穴部５に向かって付勢する付勢手段１４と、穴部５の他端側５ｂに設けられ、閉塞部材１３が移動する方向と交差する方向の一例である幅方向Ｘへ摺動可能である摺動部材８と、を備え、摺動部材８は、摺動する際、閉塞部材１３と接触可能な第１の部分８ａを有しており、閉塞部材１３は、摺動部材８が摺動する際、第１の部分８ａと接触する第２の部分１３ａを有しており、第１の部分８ａおよび第２の部分１３ａの少なくとも一方は、摺動部材８が摺動する方向および閉塞部材１３が移動する方向の両方に対して傾いて形成された箇所を有しており、摺動部材８を摺動させることにより、少なくとも一の穴部５について、第１の部分８ａを第２の部分１３ａから離間させ、閉塞部材１３が穴部５を閉塞した状態と、第１の部分８ａを第２の部分１３ａと接触させ、閉塞部材１３を穴部５から離間する方向へ移動させ、閉塞部材１３が穴部５を開放した状態と、を切り換え可能であり、摺動部材８の摺動方向における位置を変えることによって、前記開放した状態にする穴部５を選択する構成であることを特徴とする。  
尚、本実施例では、第２の部分１３ａが、球面状に形成されており、前記摺動する方向（Ｘ軸方向）および前記移動する方向（Ｚ軸方向）の両方に対して傾いている。
【００４５】
また、本実施形態において、第１の部分８ａが第２の部分１３ａから離間した状態から接触した状態となる方向へ摺動部材８が摺動するとした場合の摺動方向先後を基準として、摺動部材８における第１の部分８ａの第１傾斜部１２は、先端側が後端側より穴部５に接近しているように、摺動方向に対して傾いて形成されていることを特徴とする。  
またさらに、本実施形態において、閉塞部材１３における少なくとも穴部側は、球面状に形成されており、穴部５は、正円形の穴であり、閉塞部材１３における前記球面状の部分の径Ｒ１は、穴部５の径Ｒ２より大であることを特徴とする。  
また、本実施形態において、摺動部材８は、摺動方向に延設された溝部９を有しており、溝部９は、摺動方向に対する幅が、閉塞部材１３における第２の部分１３ａの幅より狭い第１領域１０と、第２の部分１３ａの幅より広い第２領域１１と、を有することを特徴とする。
［他の実施形態１］
図５（Ａ）に示すのは、他の実施形態１に係る穴部の開閉状態を示す概略側面図である。  
図５（Ａ）に示す如く、他の実施形態１において、穴部に対して接離する方向へ閉塞部材を案内する案内部が設けられている。  
尚、その他の部材については、前述した実施形態と同様であるため、同じ符号を用いることとし、その説明は省略する。
【００４６】
案内部２０は、Ｚ軸方向を軸とした円筒状に形成されている。また、円筒状の内側に閉塞部材１３および圧縮コイルばね１５が配設されている。そして、案内部２０の円筒状の内側面２１が、閉塞部材１３を案内することができるように構成されている。また、内側面２１における穴部５に近い側においてテーパー状の第２傾斜部２２が形成されている。これにより、閉塞した状態に切り換える際、第２傾斜部２２は、閉塞部材１３を穴部５と対向する位置へ案内することができる。即ち、Ｘ−Ｙ軸方向における穴部５と、閉塞部材１３との相対的な位置関係を精度良く決めることができる。その結果、閉塞した状態の密閉性をより高めることができる。
【００４７】
尚、円筒状の案内部２０の内側面２１における穴部５に近い側の端部（第２傾斜部２２の端部）の径は、球体形状の閉塞部材１３の径Ｒ１より小となるように構成されている。これにより、案内部２０から閉塞部材１３が完全に飛び出すことを防止することができる。言い換えると、閉塞部材１３を紛失する虞がない。  
また、閉塞した状態では、円筒状の案内部２０の内側面２１における穴部５に近い側の端部と、閉塞部材１３との間に僅かな隙間があるものとする。これは、ばね力によって閉塞部材１３が、しっかりと穴部５を塞ぐようにするためである。  
またさらに、案内部２０の内側面２１に第２傾斜部２２を形成したが、これに限られない。第２傾斜部２２がない構成であっても、閉塞部材１３の径Ｒ１が円筒状の案内部２０の内側の径より僅かに小となるように構成することにより、Ｘ−Ｙ軸方向における穴部５と、閉塞部材１３との相対的な位置関係を精度良く決めることができるからである。
【００４８】
他の実施形態１において、閉塞部材１３を移動方向へ案内する案内部２０をさらに備えており、閉塞部材１３は、球体であり、付勢手段１４は、圧縮コイルばね１５であり、案内部２０における閉塞部材１３と接触可能な面である内側面２１は、円筒の内側面状に形成され、案内部２０の内側に、閉塞部材１３としての球体および付勢手段１４としての圧縮コイルばね１５が設けられていることを特徴とする。
［他の実施形態２］
【００４９】
図５（Ｂ）に示すのは、他の実施形態２に係る摺動部材の溝部の形状を示す概略平面図である。尚、図５（Ｂ）において理解を容易にするために負圧室の上面側である媒体支持部における用紙を支持する面の図示は省略する。  
図５（Ｂ）に示す如く、他の実施形態２に係る摺動部材３０は、第１領域１０と第２領域１１との境界近傍に第３傾斜部３１を有している。  
尚、その他の部材については、前述した実施形態と同様であるため、同じ符号を用いることとし、その説明は省略する。
【００５０】
第３傾斜部３１において、穴部５を閉塞した状態から開放した状態に切り換える際の摺動部材３０の摺動方向先端側は、溝部９の幅が広くなるように設けられている。  
従って、前述した実施形態の第１傾斜部１２と同様の作用効果を得ることができる。即ち、穴部５を閉塞した状態から開放した状態へ滑らかに切り換えることができる。  
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００５１】
１  プリンター、２  記録部、３  記録ヘッド、４  媒体支持部、５  穴部、
５ａ  （穴の）一端側、５ｂ  （穴の）他端側、６  吸引手段、７  負圧室、
７ａ  （負圧室の）底面、８  摺動部材、８ａ  第１の部分（カム）、９  溝部、
１０  第１領域、１１  第２領域、１２  第１傾斜部、１３  閉塞部材、
１３ａ  第２の部分（カムフォロア）、１４  付勢手段、１５  圧縮コイルばね、
２０  （他の実施形態１の）案内部、２１  内側面、２２  第２傾斜部、
３０  （他の実施形態２の）摺動部材、３１  第３傾斜部、Ｌ１  第１列、
Ｌ２  第２列、Ｌ３  第３列、Ｌ７  第７列、Ｐ  用紙、Ｒ１  （閉塞部材の）径、
Ｒ２  （穴部の）径、Ｘ  幅方向、Ｙ  送り方向、
Ｚ  記録ヘッドと媒体支持部とが対向する方向
【図１】
0005471743.tif 000002
【図２】
0005471743.tif 000003
【図３】
0005471743.tif 000004
【図４】
0005471743.tif 000005
【図５】
0005471743.tif 000006